(57)【要約】  例えば電動二輪車（１）のような電動車両において、走行用モータ（３０）と、その出力を車輪（３）に伝える動力伝達機構（例えば変速機（４０））とに潤滑用のオイルを供給するために、オイル供給源に接続されたメイン油路（６８）と、ここからオイルクーラ（２８）へオイルを導くロワホース（７１）等の第１オイル通路と、メイン油路（６８）から分岐して、少なくとも動力伝達機構へオイルを供給する例えば変速機側油路（７３）等の第２オイル通路と、を備える。車両の走行駆動系の被潤滑部や走行用モータ（３０）、インバータ（２７）等の被冷却部に、それぞれの要求に併せて適切にオイルを供給することができ、しかもオイルクーラ（２８）の容量は小さめに抑えることができる。
2012090463.tif 000002
【特許請求の範囲】
【請求項１】
電動車両の走行用の電気モータと、該電気モータの出力を車輪に伝える動力伝達機構とに潤滑用のオイルを供給する通路の構造であって、
オイル供給源に接続されたメイン通路と、
前記メイン通路からオイルクーラへオイルを導く第１オイル通路と、
前記メイン通路から分岐して、少なくとも動力伝達機構へオイルを供給する第２オイル通路と、を備えることを特徴とする電動車両のオイル通路構造。
【請求項２】
前記第２オイル通路が、前記メイン通路から分岐して前記動力伝達機構の伝動要素へオイルを供給するものであり、
前記第２オイル通路よりもオイルの流れの下流側で前記メイン通路から分岐して、前記電気モータの出力軸の軸受へオイルを供給する第３オイル通路をさらに備える、請求項１の電動車両のオイル通路構造。
【請求項３】
前記オイルクーラから前記電気モータおよびその電気駆動回路の少なくとも一方にオイルを供給する第４オイル通路をさらに備える、請求項１または２のいずれかの電動車両のオイル通路構造。
【請求項４】
前記オイル供給源が、前記走行用の電気モータにより機械的に駆動される機械式オイルポンプと、電動オイルポンプとを備えている、請求項１〜３のいずれか１つの電動車両のオイル通路構造。
【請求項５】
前記電動オイルポンプの吐出口に連通する連通路が、メイン通路における第２オイル通路の分岐部に接続されている、請求項４の電動車両のオイル通路構造。
【請求項６】
前記メイン通路における前記第２オイル通路の分岐部よりもオイルの流れの下流側、若しくは前記第１オイル通路にオイルフィルタが配設されている、請求項１〜５のいずれか１つの電動車両のオイル通路構造。
【発明の詳細な説明】
【技術分野】
【０００１】
本発明は、電気モータを駆動源とする電動の二輪車やＡＴＶ（All Terrain Vehicle:不整地走行車両)、さらにはエンジンも搭載したハイブリッドタイプのものも含めた電動車両に関連し、特に駆動系を潤滑するオイルの通路の構造に関する。
【背景技術】
【０００２】
従来より自動二輪車のような鞍乗型の車両では、エンジンと変速機とが一体的に設けられており、変速ギヤ列の潤滑にエンジンオイルを利用する構造となっている。例えば特許文献１に記載の自動二輪車のエンジンでは、クランクシャフトによって機械的に駆動されるオイルポンプを備え、このオイルポンプから吐出されたオイルがオイルフィルタ、オイルクーラを通過した後にクランクケース内のメイン通路に送られる。そして、メイン通路からエンジンの動弁系、ピストン、クランクジャーナルなどに送られる一方、トランスミッション側オイル通路によってトランスミッション（変速機）にも供給される。
【先行技術文献】
【特許文献】
【０００３】
【特許文献１】特開２００７−１８２８３３号公報
【発明の概要】
【発明が解決しようとする課題】
【０００４】
ところで、前記のようにエンジンのクランクシャフトによって機械的に駆動されるオイルポンプの場合、エンジン回転数の低いときにはポンプ回転数も低くなるので、アイドリングを含む極低速域ではオイルの吐出量や吐出圧が不足する可能性がある。この点、一般にエンジンは極低速域では出力トルクも小さいので、変速機のギヤ等にかかる負荷も小さくなり、そこに供給されるオイルの圧力が低くても問題は生じ難い。【０００５】
これに対し電動車両の場合は、走行用の電気モータが発進時を含めた極低速域において最大トルクを発生するので、このときに変速機のギヤ等に供給されるオイルの圧力が低いと潤滑不良になってしまい、耐久性が損なわれる虞がある。前記の従来例ではオイルポンプから吐出されたオイルがオイルフィルタ、オイルクーラを通過した後にエンジンおよび変速機の被潤滑部に送られるようになっており、特にオイルクーラの圧力損失が大きいことが問題になる。【０００６】
一方で電動車両において、電気モータ及びその電気駆動回路（インバータ等）の冷却に前記のオイルを利用する場合には、オイルの温度を下げるためにオイルクーラは必須である。しかし、電動車両の中でも装備品の搭載スペースに余裕の少ない自動二輪車では、前記の圧力損失の問題に加えてオイルクーラの搭載スペースを確保することにも工夫が必要である。【０００７】
かかる点に鑑みて本発明の目的は、電動車両において走行用の駆動系の潤滑と電気モータや電気駆動回路の冷却とを共通のオイルによって行う場合に、オイル供給源からのオイルを被潤滑部および被冷却部のそれぞれの要求に併せて適切に分配供給できるようにすることにある。
【課題を解決するための手段】
【０００８】
前記の目的を達成すべく本発明は、電動車両の走行用の電気モータと、該電気モータの出力を車輪に伝える動力伝達機構とに潤滑用のオイルを供給する、電動車両のオイル通路の構造を対象として、オイル供給源に接続されたメイン通路と、このメイン通路からオイルクーラへオイルを導く第１オイル通路と、前記メイン通路から分岐して、少なくとも動力伝達機構へオイルを供給する第２オイル通路と、を備えることを特徴とする。【０００９】
前記の構成では、オイルクーラの手前でメイン通路から第２オイル通路を分岐させているので、この第２オイル通路によって、オイルクーラでの圧力損失がない比較的高圧のオイルを少なくとも動力伝達機構、即ち変速機のギヤや軸受等の被潤滑部に供給することができる。また、結果としてオイルクーラへ導かれるオイルの量が少なくなり、比較的小容量のオイルクーラで済むので、その搭載スペースを確保しやすい。【００１０】
前記第２オイル通路は、前記メイン通路から分岐して前記動力伝達機構の伝動要素へオイルを供給するものとし、この第２オイル通路よりもオイルの流れの下流側でメイン通路から分岐して、前記電気モータの出力軸の軸受へオイルを供給する第３オイル通路をさらに備えていてもよい。【００１１】
すなわち、一般に変速機のギヤ等の伝動要素へオイルを供給するための通路は複雑な構造になってしまい、圧力損失が大きくなりやすいので、そこへ供給するオイルの圧力を確保するために第２オイル通路をメイン通路の上流側、即ち、よりオイル供給源に近い側から分岐させたものである。【００１２】
さらに、前記オイルクーラから電気モータおよびその電気駆動回路（インバータ等）の少なくとも一方にオイルを供給する第４オイル通路を備えていてもよく、こうすれば、オイルクーラで放熱させたオイルによって電気モータやインバータ等を効果的に冷却することができる。【００１３】
一方、前記オイル供給源としては、前記走行用の電気モータにより機械的に駆動される機械式オイルポンプの他に、電動オイルポンプを備えていてもよい。こうすれば、走行用の電気モータが停止している発進時や電気モータの回転数が非常に低い極低速時において機械式オイルポンプの吐出量や吐出圧が不足気味であっても、電動オイルポンプの動作によって補完することができる。【００１４】
その場合に前記電動オイルポンプの吐出口からメイン通路に連通する連通路は、当該メイン通路における第２オイル通路の分岐部に接続してもよい。こうすれば、電動オイルポンプから吐出されるオイルを第２オイル通路に素早く供給し、変速機のギヤ等に供給するオイルの圧力を速やかに高めることができる。【００１５】
また、オイルを濾過するためのオイルフィルタは、前記メイン通路における前記第２オイル通路の分岐部よりもオイルの流れの下流側、若しくは前記第１オイル通路に配設するのが好ましい。こうすればオイルフィルタでの圧力損失もなくして、より高圧のオイルを変速機のギヤ等に供給することができる。
【発明の効果】
【００１６】
本発明によると、電動車両の動力伝達機構等、走行用の駆動系の被潤滑部や電気モータ、インバータ等の被冷却部に、それぞれの要求に併せて適切にオイルを供給することができる。すなわち、駆動系の被潤滑部には求められるオイル圧を供給し、インバータ等の被冷却部には求められる低温のオイルを供給しながら、しかもオイルクーラの容量は小さめに抑えることができ、車両への搭載スペースを確保しやすい。
【図面の簡単な説明】
【００１７】
【図１】本発明の実施形態に係る電動車両の一例である電動二輪車の左側面図である。
【図２】モータユニットの走行用モータ及び変速機の概略構造を示す展開図である。
【図３】モータユニットを右側から見て主にオイル通路の構造を示す断面図である。
【図４】モータユニットを右側から見て機械式オイルポンプを示す斜視図である。
【図５】モータユニットを左側から見て電動オイルポンプを示す斜視図である。
【図６】２つのオイルポンプが接続されたオイル通路の構造を一部断面で示す斜視図である。
【図７】モータユニットのケースの前部にオイルフィルタを配設した他の実施形態にかかる図３相当図である。
【発明を実施するための形態】
【００１８】
以下、本発明の実施形態について添付図面を参照しながら説明する。以下の説明で用いる前後左右の方向の概念は、実施形態にかかる電動二輪車に騎乗した運転者の見る方向を基準とする。以下の説明では、全ての図を通じて同一又は相当する要素には同一の符号を付し、重複する詳細な説明は省略する。
【００１９】
（電動二輪車の全体構成）
図１は、本発明の実施形態に係る電動車両の一例として示す電動二輪車１の左側面図である。図１に示すように電動二輪車１は、従動輪である前輪２と、駆動輪である後輪３と、前輪２及び後輪３の間に配置される車体フレーム４と、車体フレーム４に支持されたモータユニット５とを備えている。この電動二輪車１は、エンジンを備えておらず、走行用の電気モータ３０（以下、走行用モータ３０と呼ぶ）の発生する走行動力で後輪３を回転駆動するように構成されている。
【００２０】
前輪２は、あるキャスター角で傾斜しながら略上下方向に延びるフロントフォーク６の下部に回転可能に支持されている。フロントフォーク６の上部には、ステアリングシャフト７が接続され、ステアリングシャフト７の上部にはバー型のハンドル８が取り付けられている。ハンドル８の右グリップは、電気モータ３０の発生する走行動力を調整するためのアクセルグリップ（図示せず）である。
【００２１】
車体フレーム４は、ヘッドパイプ１１と、左右一対且つ上下一対のメインフレーム１２と、左右一対のダウンフレーム１３と、左右一対のピボットフレーム１４と、左右一対のスイングアーム１５と、シートフレーム１６とを有している。ヘッドパイプ１１は、ステアリングシャフト７を回転可能に支持している。
【００２２】
メインフレーム１２は、左右一対の上メインフレーム部１２ａと、左右一対の下メインフレーム部１２ａと、上メインフレーム部１２ａを下メインフレーム部１２ｂに接続するトラスフレーム部１２ｃとを有している。上メインフレーム部１２ａは下メインフレーム部１２ｂと概略平行に延びている。上メインフレーム部１２ａ及び下メインフレーム部１２ｂは、ヘッドパイプ１１から若干下向きに傾斜しながら後方へ延びている。上メインフレーム部１２ａは、その後端部において略下方に向けて屈曲しており、下メインフレーム部１２ｂに合流している。トラスフレーム部１２ｃは、当該合流点よりも前側で上メインフレーム部１２ａを下メインフレーム部１２ｂに接続しており、これによりメインフレーム１２全体の剛性を高めることができる。
【００２３】
ダウンフレーム１３は、ヘッドパイプ１１から見て略下方に向けて延びるバーティカルフレーム部１３ａと、バーティカルフレーム部１３ａの下端から略水平に後方に向けて延びるロアフレーム部１３ｂとを有している。ピボットフレーム１４は、メインフレーム１２の後端部及びロアフレーム部１３ｂの後端部に接続されている。スイングアーム１５は、略前後方向に延びており、その前端部にてピボットフレーム１４に揺動可能に連結され、その後端部にて後輪３を回転可能に支持している。シートフレーム１６は、上メインフレーム部１２ａの後端部及びピボットフレーム１４の上端部から若干上向きに傾斜しながら後方へ延びている。シートフレーム１６は、運転者及び同乗者が前後に並んで着座可能なシート（図示せず）を支持している。
【００２４】
図示はしないが、シートに騎乗する運転者は両手でハンドル８のグリップを掴み、両足がステップ（図示せず）に載るように左右両方の脚部を曲げて、シートの直前に位置するバッテリケース２０の後上部を両膝で挟み込む（ニーグリップ）。こうしてニーグリップをしやすいように、バッテリケース２０の後上部の左右方向の寸法はその下部に比べて小さくされている。
【００２５】
バッテリケース２０は、左右のメインフレーム１２の間に囲まれるように配置されて、その下面がロアフレーム部１３ｂの少し上に位置している。バッテリケース２０は、平面視で左右一対のメインフレーム１２とは重ならないように配置されており、左右両側の壁部がそれぞれメインフレーム１２にボルト等で締結されている。よって、バッテリケース２０をメインフレーム１２の間に上側又は下側から挿し入れて車体フレーム４に組み付けることができる。
【００２６】
バッテリケース２０の前面には吸気ダクト２１が接続されて前方に延びている。一方、バッテリケース２０の後面の上部には排気ダクト２２が接続されて下方に延びている。これらのダクト２１，２２を設けたことにより、前方からの走行風を吸気ダクト２１に取り込んで、バッテリケース２０のバッテリユニット２３や電装品２４を効果的に空冷することができる。
【００２７】
前記吸気ダクト２１の前端のエア取込み口は、側面視でフロントフォーク６よりも前方に突出しているので、雨水や車輪２，３から跳ね上げられた泥の吸気ダクト２１内への浸入を抑制できる。また、排気ダクト２２の上端付近にはバッテリケース２０内の空気を排出するための排気ファン２５が配置されていて、排気ダクト２２を介してバッテリケース２０内に雨水等が浸入するおそれを軽減している。
【００２８】
また、前記バッテリケース２０の下部の後方において、側面視でメインフレーム１２とピボットフレーム１４とシートフレーム１６とに囲まれた略三角形状のスペースに、インバータケース２６が配設されている。このインバータケース２６にはＩＧＢＴ（Insulated-Gate Bipolar Transistor）等のパワー半導体が実装されたインバータ２７が収容されており、図示しない電力線等によってバッテリケース２０内のバッテリユニット２３に接続されている。
【００２９】
そして、前記バッテリケース２０の下方、即ちダウンフレーム１３の下方且つピボットフレーム１４の前方のスペースに、前記したようにモータユニット５が配設されている。詳しくは後述するが、モータユニット５の前部には走行用モータ３０が収容され、その後部には変速機４０（動力伝達機構）が収容されている。モータユニット５の後部の左右両側がそれぞれピボットフレーム１４に締結される一方、モータユニット５の前部の左右両側は、ダウンフレーム１３のロアフレーム部１３ｂに締結されている。
【００３０】
また、モータユニット５の前部には前方に突出するように電力線の端子台５０が設けられ、その前方に離間してオイルクーラ２８が配設されている。オイルクーラ２８の上部はロワフレーム部１３ｂの前端に取付けられており、オイルクーラ２８の下部はステー２９（図３を参照）を介してモータユニット５の前部に支持されている。オイルクーラ２８は、モータユニット５等の潤滑および冷却に用いられるオイルを走行風と熱交換させて放熱させる。
【００３１】
すなわち、詳しくは図３〜６を参照して後述するが、モータユニット５の下部にはオイルパン６０が設けられており、ここに貯留されているオイルが電動オイルポンプ６２等により吸い上げられて、走行用モータ３０のモータ軸３２のベアリング３３や変速機４０のギヤ列４５等の潤滑に供される。また、オイルの一部はロワホース７１を介してオイルクーラ２８に送られて、オイルクーラ２８を通過する走行風と熱交換する。
【００３２】
こうして放熱し温度の低下したオイルは、オイルクーラ２８の上部に接続されているアッパホース７９によってインバータケース２６へと送られる。インバータケース２６には、図示しないがラビリンス状のオイル流路を有する冷却器がインバータ２７に接するように組み込まれている。この冷却器を流通する間にインバータ２７から熱を奪ったオイルはリターンホース８０によってモータユニット５へと戻される。後述するが、モータユニット５においてオイルは走行用モータ３０を冷却した後にオイルパン６０へと流下する。
【００３３】
なお、本実施形態において走行用モータ３０はモータ動作及び発電動作の可能なモータ・ジェネレータであり、インバータ２７を介してバッテリ２４から供給される電力によりモータ動作して、後輪３へ駆動力を出力する。一方、電動二輪車１の回生制動時には走行用モータ３０は発電機として動作し、発生した交流電流はインバータ２７により直流に変換されて、バッテリ２４に蓄えられる。このような走行用モータ３０の動作に係る制御やバッテリ２４の充放電制御は従来公知の手法により行われる。
【００３４】
−モータユニットの構成−
図２は、モータユニット５における走行用モータ３０及び変速機４０の構造を概略的に示す展開図であり、図３は、電動二輪車１の右側から見てオイル供給系の構造を示すモータユニット５の断面図である。図２に表れているようにモータユニット５のケース５１は、それぞれ右側に向かって開口するモータ収容部５３と変速機収容部５４（伝達機構収容部）とが前後に連なって設けられ、それらの右側の開口を閉ざすように別体の右壁部材５５が組付けられている。
【００３５】
モータ収容部５３は概略的には有底の円筒状とされ、その右側の開口から嵌め込まれた状態で走行用モータ３０の円筒状のケース３１が収容されるとともに、その筒軸に沿ってモータ軸３２（出力軸）が左右方向に延びている。モータ軸３２は、左右両側においてそれぞれベアリング３３（出力軸の軸受）によって支持されている。左側のベアリング３３は、モータケース３１の左端の底壁部３１ａの貫通孔に嵌入されており、右側のベアリング３３は、モータケース３１の右端の開口を閉ざすキャップ３４の貫通孔に嵌入されている。
【００３６】
そうして円筒状のモータケース３１の筒軸方向の両端の壁部である底壁部３１ａ及びキャップ３４にそれぞれ一対のベアリング３３が設けられ、それらの中間においてモータ軸３２には一体に回転するようにロータ３５が取り付けられている。図示は省略するがロータ３５には、鉄心の内部に永久磁石が埋め込まれており、このロータ３５の外周を取り巻くように近接して円環状のステータ３６が配設されている。なお、ステータ３６を取り巻くようにモータケース３１の周壁部３１ｂとモータ収容部５３との隙間に冷却ジャケット３１ｃが形成されている（後述する）。
【００３７】
前記モータ軸３２の左端は、モータケース３１の底壁部３１ａを貫通して左側に突出しており、その先端部には回転角センサ３７が配設されている。本実施形態ではモータケース３１の底壁部３１ａには、これを貫通するモータ軸３２の左端部を取り囲むようにボス部が突出しており、このボス部に回転角センサ３７のピックアップ部が配設されている。また、回転角センサ３７を覆うように、モータ収容部５３の左端には蓋部材５６が取付けられている。
【００３８】
一方、モータ軸３２の右端は、キャップ３４を貫通して右側に突出しており、その先端部にはスプライン等によって出力ギヤ３８が取り付けられている。図３にも示すように、走行用モータ３０の後方には変速機４０の入力軸であるクラッチ軸４１が配設されており、このクラッチ軸４１の右端寄りに回転自在に外嵌されたクラッチギヤ４３が、前記モータ軸３２の出力ギヤ３８と噛み合わされている。クラッチギヤ４３は隣接する多板クラッチ４２（図３には示さず）に連結されており、この多板クラッチ４２によりクラッチギヤ４３とクラッチ軸４１とが接続されることで、モータ軸３２からの回転がクラッチ軸４１に伝わるようになる。
【００３９】
また、クラッチ軸４１の後方には変速機４０の出力軸４４が配設され、両軸がギヤ列４５を介して変速自在に接続されるようになっている。すなわち、図３にのみ示すが、シフトドラム４６ａ、シフトフォーク４６ｂ、ドグクラッチ４６ｃ等からなる変速操作機構４６によって、ギヤ列４５において接続されるギヤの組み合わせが変更されるようになっており、これにより入出力回転の変速比、即ち変速機４０の変速段が変更される。
【００４０】
そうして変速された回転が出力される出力軸４４の左端には、図２に示すようにスプロケット４７が設けられており、図１にのみ示す後輪３のスプロケット３ａとの間にチェーン４８（仮想線で示す）が巻き掛けられている。なお、走行用モータ３０の駆動力を伝える動力伝達機構は前記のような多段式の変速機４０に限定されず、例えばベルト式の無段変速機であってもよいし、変速比が一定の単なる減速機構であってもよい。
【００４１】
前記のような変速機４０を収容する変速機収容部５４は、図２に示すようにモータ収容部５３よりも左右の幅が狭くなっており、この変速機収容部５４の幅に概ね合致するように、比較的幅の狭い長方形状のオイルパン６０がモータユニット５のケース５１の下部に設けられている（図２には仮想線で示す）。オイルパン６０は、その後部が変速機収容部５４の下方に位置し、前部がモータ収容部５３の下方に位置するよう、前後に長い長方形状とされている。走行用モータ３０のロータ３５およびステータ３６は、左右方向についてオイルパン６０の範囲に含まれるよう、モータ収容部５３の左右方向の中央よりも右寄りにずらして配置されている。
【００４２】
−モータユニットのオイル供給系−
次に、前記図３の他、図４〜６も参照してモータユニット５の潤滑および冷却のためのオイルの供給系統について説明する。図４は、図３と同じく右側から見て、走行用モータ３０により駆動される機械式オイルポンプ６１を示し、図５には左側から見て、専用の電気モータ（図示せず）を内蔵する電動オイルポンプ６２を示す。また、図６には、それら２つのオイルポンプ６１，６２が接続された油路の構造を示す。
【００４３】
図３および図６に示すように、モータユニット５のケース５１の下部には、下方に延びるように矩形枠状のオイルパン部５８が形成され、その下部に別体のオイルパン本体５９が組み付けられてオイルパン６０を構成している。オイルパン６０には、上方のモータ収容部５３や変速機収容部５４から流下してきたオイルが貯留されている。オイルパン６０は、前記したようにモータ収容部５３から変速機収容部５４にわたる前後方向に長い直方体状であり、必要な容量を確保しながらモータユニット５の下方への飛び出しは抑えられている。
【００４４】
本実施形態のモータユニット５においては、オイル供給源として機械式および電動式の２つのオイルポンプ６１，６２を備えており、共通のストレーナ６３を介してオイルパン６０に貯留されているオイルを吸い上げ、それぞれ吐出するようになっている。すなわち、一例としてオイルパン６０の後寄りにて、貯留されているオイルに浸るようにしてストレーナ６３が配設され、その上端には上下方向に延びる第１吸込み油路６４の下端が接続されている。
【００４５】
図６にも示すように第１吸込み油路６４の上端は略水平に左右に延びる第２吸込み油路６５に連通し、この第２吸込み油路６５の右端が機械式オイルポンプ６１の吸込み口６１ａに接続される一方、第２吸込み油路６５の左端は前後方向に延びる第３吸込み油路６６を介して、電動オイルポンプ６２の吸込み口６２ａに接続されている。つまり、機械式オイルポンプ６１および電動オイルポンプ６２が互いに左右方向に対向するように配置されていて、それらのポンプ６１，６２のオイル吸込口６１ａ，６２ａは共通のオイル通路（第１吸込み油路６４）に接続されている。
【００４６】
なお、前記の第２吸込み油路６５は、一例としてモータユニット５のケース５１を左側面から右側に向かって穿孔したドリルホールからなり、その左端はプラグ６５ａによって閉鎖されている。また、前記第３吸込み油路６６は、ケース５１の後面から前方に向かって穿孔したドリルホールからなり、その前端が電動オイルポンプ６２の吸込み口に接続される一方、後端はプラグ６６ａによって閉鎖されている。
【００４７】
図４に示すように右壁部材５５を取り外してモータユニット５のケース５１内を見ると、機械式オイルポンプ６１は変速機収容部５４の下方に配設されていて、被駆動ギヤ６１ｂに噛み合うポンプ駆動ギヤ６１ｃが、クラッチギヤ４３と一体に設けられた小径のギヤ４３ａ（図２を参照）と噛み合わされている。本実施形態では機械式オイルポンプ６１は、例えばトロコイドポンプであって、その吐出量は走行用モータ３０の回転数の上昇に比例して増大する。一例としてオイルの吐出量は、走行用モータ３０の中回転域から高回転域で過不足がない一方、低回転域では不足気味になるように設定されている。
【００４８】
一方、図５に示すように電動オイルポンプ６２は、モータユニット５のケース５１の左側面にフランジ部が締結されて、図６に示すように円柱状の本体部６２ｂがケース５１の左側壁の凹部に収容されている。本体部６２ｂには電気モータ（図示せず）を内蔵しており、図示しないコントローラからの制御指令を受けて動作する。本体部６２ｂの左端にはヒートシンク６２ｃが取付けられ、その斜め後にはコントローラとの間を結ぶ信号線のコネクタ６２ｄが設けられている。
【００４９】
前記の機械式オイルポンプ６１とは異なり、電動オイルポンプ６２の回転数は走行用モータ３０の回転数に関係なく制御することができるので、一例として電動二輪車１が極低速域（一例として１０ｋｍ／ｈ未満の速度域）にあって走行用モータ３０の回転数が低く、機械式オイルポンプ６１からのオイルの吐出量や吐出圧が不足気味になるときに、これを補完するように動作させることが好ましい。
【００５０】
図６に示すように機械式オイルポンプ６１のオイル吐出口６１ｄは、第１吐出油路６７（連通路）を介してメイン油路６８（メイン通路）に連通され、同様に電動オイルポンプ６２のオイル吐出口６２ｅは、第２吐出油路６９を介して前記メイン油路６８に連通されている。メイン油路６８は、ケース５１の前面から後方に向かって穿孔したドリルホールであり、その後端部に右側から第１吐出油路６７が連通するとともに、こうして第１吐出油路６７の連通する部位の少し前方、つまりオイルの流れの下流側に前記第２吐出油路６９が連通している。
【００５１】
一方、ケース５１の前面に開口するメイン油路６８の前端には、金属製のパイプ部材７０の後端が連通している。このパイプ部材７０の後端部がジョイント７０ａによってケース５１の前面に取付けられる一方、パイプ部材７０の前端は、オイルクーラ２８の下部を支持するステー２９の後端部の付近でロワホース７１の後端に接続されている。ロワホース７１は例えばゴムのように弾性を有するホースであり、概ね前方に向かって延びて斜め右向きに湾曲した後に、金属製のパイプ部材７２を介してオイルクーラ２８の下部に接続されている。
【００５２】
それらのパイプ部材７０，７２やロワホース７１によって、メイン油路６８からオイルクーラ２８へオイルを導く第１オイル通路が構成されている。本実施形態ではモータユニット５のケース５１に、メイン油路６８から分岐して変速機４０のギヤ列４５等に潤滑のためのオイルを供給する変速機側油路７３（第２オイル通路）と、同じくメイン油路６８から分岐して、走行用モータ３０のベアリング３３に潤滑のためのオイルを供給するモータ側油路７４（第３オイル通路）とが形成されている。
【００５３】
変速機側油路７３は、前記メイン油路６８から分岐して上方に向かって延びる第１変速機側油路７３ａと、その上端に連通する第２変速機側油路７３ｂとを有する。第１変速機側油路７３ａの下端は、電動オイルポンプ６２からの第２吐出油路６９がメイン油路６８と連通する部位に連通している。図２にのみ示すが、第２変速機側油路７３ｂは第１変速機側油路７３ａとの連通部位から左側に延びた後に、前後方向に延びる第３変速機側油路７３ｃと左右方向に延びる第４変速機側油路７３ｄとによって、クラッチ軸４１内を軸心の方向に延びる第５変速機側油路７３ｅに至る。そして、この第５変速機側油路７３ｅから半径方向外方に延びる複数のオリフィスを介してオイルがギヤ列４５やベアリング４１ａに供給される。
【００５４】
また、第１変速機側油路７３ａは、図示省略の油路を介して変速機４０の出力軸４４内の第６変速機側油路７３ｆにも連通しており、出力軸４４内を軸心の方向に延びる第６変速機側油路７３ｆから半径方向外方に延びる複数のオリフィスを介して、オイルがギヤ列４５やベアリング４４ａに供給されるようになっている。このようにギヤ列４５やベアリング４１ａ，４４ａにオイルを供給する変速機側油路７３は、比較的複雑な構造になってしまい、圧力損失が大きくなりやすい。
【００５５】
一方、モータ側油路７４は、モータ収容部５３の下方、即ちモータユニット５のケース５１の前寄りの部位（前記変速機側油路７３よりもオイルの流れの下流側）においてメイン油路６８から分岐し、左右方向に延びる第１モータ側油路７４ａと、この第１モータ側油路７４ａの左右両端から、それぞれ走行用モータ３０のモータ軸３２に向かって延びる第２および第３のモータ側油路７４ｂ，７４ｃとを有している。
【００５６】
すなわち、図２には実線で、図３には仮想線でそれぞれ示すように、第２および第３モータ側油路７４ｂ，７４ｃは、それぞれモータケース３１の底壁部３１ａとキャップ３４とに形成されて、内周端がベアリング３３へオイルを供給するように接続される一方、第２および第３モータ側油路７４ｂ，７４ｃの外周端は、それぞれジョイント部材７５，７６に形成されたポート７５ａ，７６ａを介して第１モータ側油路７４ａの左右両端に連通している。
【００５７】
なお、図２にのみ示すが、第１モータ側油路７４ａには分岐路７４ｄを介して油圧センサ７７が接続されており、その出力信号がコントローラに入力されるようになっている。第１モータ側油路７４ａのオイルの圧力は、走行用モータ３０のベアリング３３へ供給されるオイルの圧力と概ね同じであり、この圧力値を検出して電動オイルポンプ６２の動作を制御することで、モータユニット５の各部位への所要のオイル供給状態を維持することができる。
【００５８】
図３にのみ示すが、メイン油路６８においてそれぞれ分岐する変速機側油路７３とモータ側油路７４との間にはリリーフバルブ７８が設けられている。リリーフバルブ７８は、筒状のハウジング７８ａ内に収容されたボール７８ｂが、通常はコイルスプリング７８ｃの付勢力によって上方のシート部７８ｄに押し付けられ、閉塞状態となっている。そして、メイン油路６８の油圧が所定値以上に上昇すると、この油圧を受けたボール７８ｂがコイルスプリング７８ｃを押し縮めながら下方に移動し、シート部７８ｄから離れてメイン油路６８の油圧を開放する開放状態になる。
【００５９】
図１を参照して前述したように本実施形態では、前記のように走行用モータ３０や変速機４０の潤滑に用いられるオイルを利用して、動作中に発熱する走行用モータ３０のステータ３６やインバータ２７を冷却するようにしている。すなわち、メイン油路６８を流れるオイルの一部はパイプ部材７０，７２やロワホース７１を介してオイルクーラ２８に送られ、このオイルクーラ２８のコアを上昇する間に走行風と熱交換して放熱する。
【００６０】
図３には模式的に示すが、オイルクーラ２８の上部から後方のインバータケース２６にかけてアッパホース７９が架け渡され、このインバータケース２６からモータユニット５にかけてリターンホース８０が架け渡されている（図１も参照）。リターンホース８０の下端は図示しないジョイント等を介してモータユニット５のケース５１の上部に接続されており、インバータ２７を冷却したオイルがリターンホース８０によってモータユニット５のケース５１内へ戻される。
【００６１】
ここで、上述したように本実施形態のモータユニット５においては、ケース５１のモータ収容部５３にモータケース３１を嵌め込むという二重壁構造を利用して、そのモータ収容部５３とモータケース３１の周壁部３１ｂとの隙間に、ステータ３６を取り巻くように冷却ジャケット３１ｃを形成している。すなわち、モータケース３１の周壁部３１ｂの外周における左右方向の略中央部から少し右側寄りにかけて、全周に亘って断面矩形状の浅い溝部が形成されるとともに、これを取り巻くモータ収容部５３の内周面には薄肉の部位が形成されて、それらの間に環状の冷却ジャケット３１ｃが形成されている。
【００６２】
図２にのみ示すが、冷却ジャケット３１ｃに臨むモータケース３１の周壁部３１ｂ側の浅溝部には、幅の狭い環状の深溝部が複数（図の例では５本）形成されており、オイルによるステータ３６の冷却効率が高められている。そして、前記のようにリターンホース８０を流下してくるオイルが上方から冷却ジャケット３１ｃに流入し、図３に矢印で示すように円周方向に分かれて、モータケース３１の外周に沿って流れてゆく。こうして冷却ジャケット３１ｃを流下する間に走行用モータ３０の熱を奪ったオイルは、モータ収容部５３の下部のオイル排出口５３ａから下方のオイルパン６０内に落下する。
【００６３】
−オイル供給系の動作−
以上の如き構成のモータユニット５においては、電動二輪車１のメインスイッチがオンされると、まず、コントローラからの制御指令を受けて電動オイルポンプ６２が動作し、メイン油路６８へオイルを送り出す。このオイルはメイン油路６８からロワホース７１を介してオイルクーラ２８に送られ、アッパホース７９によりインバータケース２６に送られ、リターンホース８０によりモータユニット５に戻される。停車中であれば走行用モータ３０は停止しており、インバータ２７の発熱も少ないので、電動オイルポンプ６２の回転数は非常に低く制御され、無駄な電力消費が抑制される。
【００６４】
また、メイン油路６８へ送り出されたオイルの一部は変速機側油路７３に流れて変速機４０に供給され、そのギヤ列４５やベアリング４１ａ，４４ａを潤滑する。同様にメイン油路６８からモータ側油路７４に流れたオイルは走行用モータ３０に供給されて、そのベアリング３３を潤滑する。この状態で運転者がアクセルグリップを操作すると、その操作量に応じて走行用モータ３０が回転を始め、電動二輪車１が発進する。この発進時に走行用モータ３０は比較的大きなトルクを発生するが、走行用モータ３０や変速機４０の被潤滑部には既にオイルが供給されているので、オイル切れの問題は生じない。
【００６５】
そして、走行用モータ３０の回転と共に機械式オイルポンプ６１も動作し、オイルを吐出するようになるが、発進時を含めて所定の車速（例えば１０ｋｍ／ｈ）未満の極低速域では機械式オイルポンプ６１のオイルの吐出量、吐出圧が不足気味になりやすいので、電動オイルポンプ６２の動作は継続する。２つのオイルポンプ６１，６２からそれぞれ吐出されたオイルは、メイン油路６８からロワホース７１を介してオイルクーラ２８に送られ、走行風と熱交換して温度の低下した後に前記のようにインバータケース２６に送られ、モータユニット５に戻される。
【００６６】
すなわち、オイルクーラ２８で放熱した後のオイルがインバータケース２６に送られ、インバータ２７を冷却した後にモータユニット５に戻されて、今度は走行用モータ３０の冷却に供される。電動二輪車１の発進時には走行用モータ３０に比較的大きな電流が流れるので、インバータ２７および走行用モータ３０の発熱は多くなるが、これらは前記のようにオイルクーラ２８で放熱した比較的低温のオイルによって、効果的に冷却することができる。
【００６７】
また、メイン油路６８から変速機側油路７３およびモータ側油路７４に流れたオイルは、それぞれ変速機４０のギヤ列４５やベアリング４１ａ，４４ａ、および走行用モータ３０のベアリング３３を潤滑する。変速機側油路７３およびモータ側油路７４がいずれもメイン油路６８から分岐しており、オイルクーラ２８での圧力損失がない分、高圧のオイルを変速機４０や走行用モータ３０の被潤滑部に供給することができる。
【００６８】
特に、変速機４０のギヤ列４５等へオイルを供給する変速機側油路７３が比較的複雑な構造であり、圧力損失が大きくなりやすいことを考慮して、本実施形態では変速機側油路７３をメイン油路６８においてモータ側油路７４よりもオイルの流れの上流側、即ちオイルポンプ６１，６２の近くから分岐させている。このことで、圧力損失の大きくなりやすい変速機側油路７３においても所要のオイル圧力を確保しやすい。しかも、電動オイルポンプ６２からの第２吐出油路６９を、メイン油路６８における変速機側油路７３の分岐部に連通させているので、電動オイルポンプ６２からのオイルを変速機側油路７３に素早く供給し、変速機４０に供給するオイルの圧力を素早く高めることができる。
【００６９】
なお、電動二輪車１の走行速度が高くなれば走行用モータ３０の回転数の上昇に連れて機械式オイルポンプ６１の回転数も高くなり、そのオイル吐出量、吐出圧が増大するので、基本的には電動オイルポンプ６２の動作は停止させる。
【００７０】
したがって、本実施形態にかかる電動車両（電動二輪車１）のオイル通路の構造によると、まず、モータユニット５の潤滑用のオイルをインバータ２７や走行用モータ３０の冷却にも利用することで、オイルの供給系の全体的な重量増やコストアップを抑制できる。しかも、変速機４０のギヤ列４５等、走行駆動系の被潤滑部には十分な圧力のオイルを供給し、インバータ２７、走行用モータ３０等の被冷却部にはオイルクーラ２８で放熱した後のオイルを供給する、というように要求に応じて適切なオイル供給が行える。
【００７１】
さらに、その結果としてオイルクーラ２８へ送られるオイルの流量が少なくなるので、オイルクーラ２８の容量は比較的小さくすることができ、電動二輪車１においても搭載スペースを確保しやすい。
【００７２】
−他の実施形態−
前記した実施形態の説明はあくまで例示に過ぎず、本発明、その適用物またはその用途を制限するものではない。例えば前記の実施形態では、モータユニット５にオイル供給源として機械式オイルポンプ６１および電動オイルポンプ６２を備えているが、これは例えば機械式オイルポンプ６１のみであってもよい。また、機械式オイルポンプ６１および電動オイルポンプ６２の双方を備える場合でも、前記実施形態のように電動オイルポンプ６２からの第２吐出油路６９を、メイン油路６８における変速機側油路７３の分岐部に連通させる必要はない。
【００７３】
また、前記の実施形態ではメイン油路６８における比較的上流側から変速機側油路７３を分岐させ、比較的下流側からモータ側油路７４を分岐させているが、これは反対であってもよいし、メイン油路６８の同じ部位から変速機側油路７３およびモータ側油路７４を分岐させてもよいし、或いはメイン油路６８から分岐させた油路からさらに変速機側油路７３およびモータ側油路７４を分岐させてもよい。
【００７４】
さらに、前記の実施形態ではオイルフィルタの配設箇所について説明していないが、圧力損失を考慮すればオイルフィルタも、変速機側油路７３やモータ側油路７４の分岐部よりも下流側のメイン油路６８等に設けることが好ましい。一例として図７に示すように、メイン油路６８とロワホース７１との間のパイプ部材７０に一体的にオイルフィルタ８１を配設してもよく、こうすれば、フィルタエレメントの交換等のメンテナンスが容易に行える。
【００７５】
前記の実施形態では電動二輪車１について説明したが、本発明に係る電動車両は二輪車に限らず、例えばＡＴＶ（All Terrain Vehicle:不整地走行車両)や小型運搬車等であってもよい。また、駆動源として走行用モータ３０だけでなく、エンジンも搭載したハイブリッドタイプの電動車両も含むことは勿論である。
【産業上の利用可能性】
【００７６】
以上のように本発明に係る電動車両のオイル通路の構造では、走行用の駆動系の被潤滑部および電気モータ、インバータ等の被冷却部に、それぞれの要求に併せて適切にオイルを供給することができ、しかもオイルクーラの容量を小さめに抑えることができるので、装備品の搭載スペースが少ない電動二輪車において特に有益である。
【符号の説明】
【００７７】
１          電動二輪車（電動車両）
５          モータユニット
３０        走行用モータ（走行用の電気モータ）
４０        変速機（動力伝達機構）
６１        機械式オイルポンプ（オイル供給源）
６２        電動オイルポンプ（オイル供給源）
６８        メイン油路（メイン通路）
６９        第２吐出油路（連通路）
７０，７２  パイプ部材（第１オイル通路）
７１        ロワホース（第１オイル通路）
７３        変速機側油路（第２オイル通路）
７４        モータ側油路（第３オイル通路）
７９        アッパホース（第４オイル通路）
【図１】
2012090463.tif 000003
【図２】
2012090463.tif 000004
【図３】
2012090463.tif 000005
【図４】
2012090463.tif 000006
【図５】
2012090463.tif 000007
【図６】
2012090463.tif 000008
【図７】
2012090463.tif 000009
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
電動車両の走行用の電気モータと、該電気モータの出力を車輪に伝える動力伝達機構とに潤滑用のオイルを供給する通路の構造であって、
オイル供給源に接続されたメイン通路と、
前記メイン通路からオイルクーラへオイルを導く第１オイル通路と、
前記オイルクーラよりも上流側で前記メイン通路から分岐して、前記電気モータの出力軸の軸受へオイルを供給する第３オイル通路と、
被冷却部を冷却するために、前記オイルクーラから前記被冷却部へオイルを供給する第４オイル通路と、を備えることを特徴とする電動車両のオイル通路構造。
【請求項２】
前記オイルクーラよりも上流側で、前記メイン通路から分岐して前記動力伝達機構へオイルを供給する第２オイル通路をさらに備える、請求項１に記載の電動車両のオイル通路構造。
【請求項３】
前記被冷却部は、前記電気モータおよびその電気駆動回路の少なくとも一方を有する、請求項１または２に記載の電動車両のオイル通路構造。
【請求項４】
前記オイル供給源が、前記走行用の電気モータにより機械的に駆動される機械式オイルポンプと、電動オイルポンプとを備えており、
前記電動オイルポンプは、前記走行用の電気モータが停止しているときに、または、前記走行用の電気モータの回転数が低いときに駆動される、請求項１ないし３のいずれか一項に記載の電動車両のオイル通路構造。
【請求項５】
前記電動オイルポンプの吐出口に連通する連通路が、前記メイン通路における前記第２オイル通路の分岐部に接続されている、請求項４に記載の電動車両のオイル通路構造。
【請求項６】
電動車両の走行用の電気モータと、該電気モータの出力を車輪に伝える動力伝達機構とに潤滑用のオイルを供給する通路の構造であって、
オイル供給源に接続されたメイン通路と、
前記メイン通路からオイルクーラへオイルを導く第１オイル通路と、
前記オイルクーラよりも上流側で前記メイン通路から分岐して、車両の駆動系の被潤滑部へオイルを供給する第２オイル通路と、
被冷却部を冷却するために、前記オイルクーラから前記被冷却部へオイルを供給する第４オイル通路とを備える、電動車両のオイル通路構造。
【国際調査報告】
2012090463.tif 000010
2012090463.tif 000011
2012090463.tif 000012
2012090463.tif 000013